(57)【要約】【課題】切断板部が邪魔になるということがなく、ペーパーの引き出しを容易に行い得るようにする。【解決手段】切断補助具１００は、カバー板２０２の先端部に固定するための固定板部１０１と、この固定板部１０１に一端部が回動自由に取り付けられている切断板部１０２とからなる。ユーザは、ロール形ペーパーＴＰを使用するとき、例えば切断板部１０２をロール形ペーパーＴＰに当接した開状態（第１の移動状態）でペーパーＴＰを引き出し、その後に、切断板部１０２の他端部（切断端）１０２ｂで切断する。次にペーパーＴＰを使用するユーザは、切断板部１０２を固定板部１０１に当接した閉状態としてペーパーＴＰの先端部ＴＰａを露出させ、当該先端部ＴＰａをつまんでペーパーＴＰの引き出しを行う。開状態、閉状態における切断板部１０２はロール形ペーパーＴＰのロール半径方向に飛び出しておらず、ユーザの衣服等を引っかけたりするおそれはない。【選択図】        図６
2006034596.tif 000002
【特許請求の範囲】
【請求項１】
ロール形ペーパーを回転可能に軸支するホルダー本体と、該ホルダー本体に付設され、上記ロール形ペーパーの上方を覆うカバー板とを有するペーパーホルダーにおける上記カバー板の先端部に固定されて使用されるロール形ペーパーの切断補助具であって、
上記カバー板の先端部に固定するための固定板部と、
上記固定板部に移動自在に取り付けられ、上記ロール形ペーパーに当接する第１の移動状態で上記ロール形ペーパーを切断する切断板部と
を備えることを特徴とするロール形ペーパーの切断補助具。
【請求項２】
上記切断板部は、上記固定板部に一端部が回動自由に取り付けられ、
上記第１の移動状態は上記切断板部が上記固定板部に重ならない開状態であり、
上記切断板部は、上記開状態で、上記一端部に対向した他端部により上記ロール形ペーパーを切断する
ことを特徴とする請求項１に記載のロール形ペーパーの切断補助具。
【請求項３】
上記切断板部の少なくとも一部における上記ロール形ペーパーの長手方向の長さは、上記固定板部における上記ロール形ペーパーの長手方向の長さより長くされている
ことを特徴とする請求項１に記載のロール形ペーパーの切断補助具。
【請求項４】
上記切断板部は、上記ロール形ペーパーに当接する開状態で、上記他端部が上記ロール形ペーパーの外周面から離間するような形状とされている
ことを特徴とする請求項２または請求項３に記載のロール形ペーパーの切断補助具。
【請求項５】
上記切断板部は、上記固定板部に摺動自由に取り付けられ、
上記第１の移動状態は、上記切断板部の一端部が上記固定板部上にあると共に該一端部に対向した上記切断板部の他端部が上記固定板部から突出した突出状態であり、
上記切断板部は、上記突出状態で、上記他端部により上記ロール形ペーパーを切断する
ことを特徴とする請求項１に記載のロール形ペーパーの切断補助具。
【請求項６】
上記切断板部は、上記ロール形ペーパーに当接する突出状態で、上記他端部が上記ロール形ペーパーの外周面から離間するような形状とされている
ことを特徴とする請求項５に記載のロール形ペーパーの切断補助具。
【発明の詳細な説明】
【技術分野】
【０００１】
この発明は、例えばトイレットペーパー、キッチンペーパー等のロール形ペーパーの切断補助具に関する。
【０００２】
詳しくは、この発明は、ロール形ペーパーの上方を覆うカバー板の先端部に固定されて使用される切断補助具であって、カバー板の先端部に固定するための固定板部と、この固定板部に移動自在に取り付けられ、ロール形ペーパーに当接する第１の移動状態で当該ロール形ペーパーを切断する切断板部とを備える構成とすることによって、切断板部が邪魔になるということがなく、ペーパーの引き出しを容易に行い得るロール形ペーパーの切断補助具に係るものである。
【背景技術】
【０００３】
図１２は、従来のトイレットペーパーホルダー２００の構成を示している。このトイレットペーパーホルダー２００は、ロール形ペーパーとしてのトイレットペーパーＴＰを回転可能に軸支するホルダー本体２０１と、このホルダー本体２０１に付設され、トイレットペーパーＴＰの上方を覆うカバー板２０２とを有する構成となっている。
【０００４】
このトイレットペーパーホルダー２００においては、トイレットペーパーＴＰを使用するとき、ユーザは、片方の手でトイレットペーパーＴＰを必要量だけ矢印方向に引き出し、その後にもう片方の手でカバー板２０２を押さえ、トイレットペーパーＴＰに密着したカバー板２０２の先端部で、引き出されたトイレットペーパーＴＰを切断する。
【０００５】
このトイレットペーパーホルダー２００によれば、切断後のトイレットペーパーＴＰの先端部は、カバー板２０２の下側に位置する。そのため、次にトイレットペーパーＴＰを使用するユーザは、例えば、カバー板２０２を片方の手で上方に持ち上げてから、もう一方の手でトイレットペーパーＴＰの先端部をつまんで引き出さなければならず、トイレットペーパーＴＰの引き出しを容易に行うことができなかった。
【０００６】
そこで従来、トイレットペーパーＴＰの引き出しを容易に行い得るトイレットペーパーホルダーが提案されている（特許文献１参照）。図１３は、このトイレットペーパーホルダー３００の構成を示している。このトイレットペーパーホルダー３００は、トイレットペーパーＴＰを回転可能に軸支するホルダー本体３０１と、このホルダー本体３０１に付設され、トイレットペーパーＴＰの上方を覆うカバー板（押さえ蓋）３０２とを有する構成となっている。
【０００７】
カバー板３０２の先端部に矩形の切欠部３０３が形成され、さらにこの切欠部３０３のカバー板３０２の先端側の切り口３０３ａに切り起こし部３０４が形成されている。この切り起こし部３０４の先端は、先端を尖らせた多数の突起が並べられた状態である鋸歯状とされている。
【０００８】
このトイレットペーパーホルダー３００においては、トイレットペーパーＴＰを使用するとき、ユーザは、カバー板３０３の切欠部３０３を通してトイレットペーパーＴＰを必要量だけ矢印方向に引き出し、その後に下方向または斜め下方向に引っ張ることで、引き出されたトイレットペーパーＴＰを切断する。
【０００９】
このトイレットペーパーホルダー３００によれば、切断後のトイレットペーパーＴＰの先端部は、カバー板３０２の切欠部３０３に、切り起こし部３０４の分だけ浮き上がった状態で露出している。そのため、次にトイレットペーパーＴＰを使用するユーザは、カバー板３０２の切欠部３０３に露出しているトイレットペーパーＴＰの先端部をつまんで、トイレットペーパーＴＰを引き出すことができ、トイレットペーパーＴＰの引き出しを容易に行うことができる。
【００１０】
また、トイレットペーパーＴＰの引き出しを容易に行い得るトイレットペーパーの切断補助具が提案されている（非特許文献１参照）。図１４は、このトイレットペーパーの切断補助具４００の構成を示している。この切断補助具４００は、カバー板の先端部に固定するための固定板部４０１と、この固定板部４０１の両端部から延びる棒状支持部４０２ａ，４０２ｂの先端に両端部が固定された切断板部４０３とを有する構成となっている。この場合、切断板部４０３は、固定板部４０１に対して、略直交する状態で固定されている。また、この切断板部４０３の前端は、先端を尖らせた多数の突起が並べられた状態である鋸歯状とされている。
【００１１】
図１５は、トイレットペーパーＴＰを回転可能に軸支するホルダー本体４１１と、このホルダー本体４１１に付設され、トイレットペーパーＴＰの上方を覆うカバー板４１２とを有するトイレットペーパーホルダー４１０におけるカバー板４１２の先端部に、上述の切断補助具４００を固定した状態を示している。この場合、切断補助具４００の固定板部４０１とカバー板４１２の先端部との間に両面接着テープ、あるいは接着剤等が配置される。
【００１２】
このように切断補助具４００が固定されたトイレットペーパーホルダー４１０においては、トイレットペーパーＴＰを使用するとき、ユーザは、カバー板３０３の先端部（切断補助具４００の固定板部４０１）と切断板部４０３との間の開口部４０４を通してトイレットペーパーＴＰを必要量だけ引き出し、その後に下方向または斜め下方向に引っ張ることで、引き出されたトイレットペーパーＴＰを切断する。
【００１３】
この切断補助具４００が固定されたトイレットペーパーホルダー４１０によれば、切断後のトイレットペーパーＴＰの先端部は、開口部４０４に切断板部４０３の分だけ浮き上がった状態で露出している。そのため、次にトイレットペーパーＴＰを使用するユーザは、開口部４０４に露出しているトイレットペーパーＴＰの先端部をつまんで、トイレットペーパーＴＰ引き出すことができ、トイレットペーパーＴＰの引き出しを容易に行うことができる。
【００１４】
【特許文献１】実開平７−１７１０６７号公報
【非特許文献１】“パテント研究会アイデア新商品”、［online］、パテント研究会、［平成１６年６月８日検索］、インターネット＜ＵＲＬ：http://www.patento-kenkyukai.com.jp/onehandcutholder.htm＞
【発明の開示】
【発明が解決しようとする課題】
【００１５】
図１３に示すトイレットペーパーホルダー３００および図１４に示す切断補助具４００が固定されたトイレットペーパーホルダー４１０においては、トイレットペーパーＴＰを切断する部分（切り起こし部３０４、切断板部４０３）が、トイレットペーパーＴＰのロール半径方向に飛び出した状態で固定となっているため、ユーザの衣服等を引っかけたりするおそれもあり、その意味では邪魔な存在である。
【００１６】
この発明の目的な、切断板部がユーザの衣服などに引っかかる等邪魔になるということがなく、ペーパーの引き出しを容易に行い得るロール形ペーパーの切断補助具を提供することにある。
【課題を解決するための手段】
【００１７】
この発明に係るロール形ペーパーの切断補助具は、ロール形ペーパーを回転可能に軸支するホルダー本体と、このホルダー本体に付設され、ロール形ペーパーの上方を覆うカバー板とを有するペーパーホルダーにおけるカバー板の先端部に固定されて使用されるロール形ペーパーの切断補助具であって、カバー板の先端部に固定するための固定板部と、この固定板部に移動自在に取り付けられ、ロール形ペーパーに当接する第１の移動状態でロール形ペーパーを切断する切断板部とを備えるものである。
【００１８】
この発明において、ロール形ペーパーの切断補助具は、カバー板の先端部に固定するための固定板部に、ロール形ペーパーを切断する切断板部が、移動自在に取り付けられた構造とされている。この切断補助具は、カバー板の先端部に、固定板部が固定されて使用される。この固定のために、例えば、固定板部とカバー板の先端部との間に両面接着テープあるいは接着剤等が配置される。
【００１９】
例えば、切断板部の一端部が固定板部に回動自由に取り付けられ、第１の移動状態は切断板部が固定板部に重ならない開状態であり、切断板部の他端部がロール形ペーパーを切断するための切断端となる。ユーザは、ロール形ペーパーを使用するときは、切断板部を固定板部に当接した閉状態で、あるいは切断板部をロール形ペーパーに当接した開状態でペーパーを必要量だけ引き出し、その後に、切断板部をロール形ペーパーに当接した開状態で、切断板部の他端部（切断端）により、引き出されたペーパーを切断する。
【００２０】
このように、切断板部をロール形ペーパーに当接した開状態では、切断後のロール形ペーパーの先端部が当該切断板部の下側に位置する。しかし、この切断板部を固定板部に当接した閉状態とすることで、切断後のロール形ペーパーの先端部が露出した状態とできる。そのため、次にロール形ペーパーを使用するユーザは、上述したように切断板部を固定板部に当接した閉状態とすることでロール形ペーパーの先端部を露出させ、当該先端部をつまんでペーパーの引き出しを行うことができる。
【００２１】
このように、切断板部を固定板部に当接した閉状態とすることで、切断後のロール形ペーパーの先端部を露出させることができ、ユーザはこの先端部をつまんでペーパーの引き出しを容易に行うことができる。また、切断板部を、固定板部に当接した閉状態あるいはロール形ペーパーに当接した開状態とすることができ、これらの状態では切断板部がロール形ペーパーの半径方向に飛び出しておらず、ユーザの衣服等を引っかけたりするおそれはなく、切断板部はユーザの邪魔とはならない。
【００２２】
例えば、切断板部の少なくとも一部におけるロール形ペーパーの長手方向の長さは、固定板部におけるロール形ペーパーの長手方向の長さより長くされる。これにより、切断板部を固定板部に当接した閉状態では、当該切断板部の他端部（切断端）側の少なくとも一部が固定板部より飛び出した状態となる。そのため、切断板部を閉状態から開状態とする際に、ユーザは、当該飛び出した切断板部の他端部に指を引っかけて、当該切断板部を容易に回動させることができる。
【００２３】
また例えば、切断板部は、ロール形ペーパーに当接する開状態で、その他端部（切断端）がロール形ペーパーのロール外周面から離間するような形状とされる。これにより、切断板部の他端部で切断された後のロール形ペーパーの先端部は、ロール形ペーパーのロール外周面から離間した状態に曲げられる。そのため、ユーザが次にロール形ペーパーを使用する際に、上述したように切断板部を閉状態としてロール形ペーパーの先端部をつまんでペーパーを引き出すとき、当該ロール形ペーパーの先端部をつまみやすくなる。
【００２４】
また例えば、切断板部は固定板部に摺動自由に取り付けられ、第１の移動状態は切断板部の一端部が固定板部上にあると共にこの一端部に対向した切断板部の他端部が固定板部から突出した突出状態であり、切断板部の他端部がロール形ペーパーを切断するための切断端となる。ユーザは、ロール形ペーパーを使用するときは、切断板部の他端部が固定板部上にある非突出状態で、あるいは切断板部をロール形ペーパーに当接した上述の突出態でペーパーを必要量だけ引き出し、その後に、上述の突出態で、切断板部の他端部（切断端）により、引き出されたペーパーを切断する。
【００２５】
このように、切断板部をロール形ペーパーに当接した突出状態では、切断後のロール形ペーパーの先端部が当該切断板部の下側に位置する。しかし、この切断板部の他端部が固定板部上にある非突出状態とすることで、切断後のロール形ペーパーの先端部が露出した状態とできる。そのため、次にロール形ペーパーを使用するユーザは、上述したように切断板部の他端部が固定板部上にある非突出状態とすることでロール形ペーパーの先端部を露出させ、当該先端部をつまんでペーパーの引き出しを行うことができる。
【００２６】
このように、切断板部の他端部が固定板部上にある非突出状態とすることで、切断後のロール形ペーパーの先端部を露出させることができ、ユーザはこの先端部をつまんでペーパーの引き出しを容易に行うことができる。また、切断板部を、その他端部が固定板部上にある非突出状態あるいはその一端部が固定板部上にある突出状態とすることができ、これらの状態では切断板部がロール形ペーパーの半径方向に飛び出しておらず、ユーザの衣服等を引っかけたりするおそれはなく、切断板部はユーザの邪魔とはならない。
【００２７】
例えば、切断板部は、ロール形ペーパーに当接する突出状態で、その他端部（切断端）がロール形ペーパーのロール外周面から離間するような形状とされる。これにより、切断板部の他端部で切断された後のロール形ペーパーの先端部は、ロール形ペーパーのロール外周面から離間した状態に曲げられる。そのため、ユーザが次にロール形ペーパーを使用する際に、上述したように切断板部を非突出状態としてロール形ペーパーの先端部をつまんでペーパーを引き出すとき、当該ロール形ペーパーの先端部をつまみやすくなる。
【発明の効果】
【００２８】
この発明によれば、ロール形ペーパーの上方を覆うカバー板の先端部に固定されて使用される切断補助具であって、カバー板の先端部に固定するための固定板部と、この固定板部に移動自在に取り付けられ、ロール形ペーパーに当接する第１の移動状態で当該ロール形ペーパーを切断する切断板部とを備える構成であり、切断板部がユーザの衣服などに引っかかる等邪魔になるということがなく、ペーパーの引き出しを容易に行うことができる。
【発明を実施するための最良の形態】
【００２９】
この発明の第１の実施の形態について説明する。図１〜図３は、第１の実施の形態としてのトイレットペーパーの切断補助具１００の構成を示している。図１は、切断補助具１００の正面図である。図２は切断補助具１００の背面図である。図３Ａは切断補助具１００の側面図（開状態）である。図３Ｂは切断補助具１００の側面図（閉状態）である。この第１の実施の形態では、開状態が第１の移動状態である。
【００３０】
この切断補助具１００は、例えば、上述した図１２に示すような、ロール形ペーパーとしてのトイレットペーパーＴＰを回転可能に軸支するホルダー本体２０１と、このホルダー本体２０１に付設され、トイレットペーパーＴＰの上方を覆うカバー板２０２とを有するトイレットペーパーホルダー２００における、カバー板２０２の先端部に固定されて使用される。
【００３１】
この切断補助具１００は、カバー板２０２の先端部に固定するための固定板部１０１と、トイレットペーパーＴＰを切断するための切断板部１０２とを備えている。これら固定板部１０１および切断板部１０２は、例えば、ステンレス等の金属あるいは合成樹脂等を材料として形成される。
【００３２】
固定板部１０１は、カバー板２０２の先端部の形状に合わせた形状とされている。この場合、カバー板２０２の先端部の形状がトイレットペーパーＴＰのロール外周に沿った形状を有している場合には、この固定板部１０１もトイレットペーパーＴＰのロール外周に沿った形状を有するものとされる。
【００３３】
切断板部１０２は、固定板部１０１に、開閉自在に取り付けられている。この場合、切断板部１０２の一端部１０２ａが、固定板部１０１の一端部１０１ａに、蝶番と同様に枢軸１０３を用いて、回動自由に取り付けられている。すなわち、固定板部１０１の一端部１０１ａおよび切断板部１０２の一端部１０２ａには、枢軸１０３の軸方向に沿って、交互に、当該枢軸１０３を挿通させるための筒形の軸受け部１０１ｃ，１０２ｃが設けられている。そして、枢軸１０３がこれら軸受け部１０１ｃ，１０２ｃに挿通されることで、切断板部１０２の一端部１０２ａが、固定板部１０１の一端部１０１ａに、回動自由に取り付けられる。なお、本実施の形態において、軸受け部１０１ｃ，１０２ｃの個数はそれぞれ３個であるが、軸受け部１０１ｃ，１０２ｃの個数は３個でなくてもよい。
【００３４】
ここで、筒形の軸受け部１０１ｃを形成する矩形部分が延長され、当該軸受け部１０１ｃに延長片１０１ｄが連接された状態とされている。この延長片１０１ｄは、図３Ａ，Ｂに示すように、固定板部１０１に略平行に形成されている。切断補助具１００をカバー板２０２の先端部に固定する場合、カバー板２０２の先端部が固定板部１０１と延長片１０１ｄとの間に挿入される。したがって、固定板部１０１と延長片１０１ｄとの間隔は、カバー板２０２の先端部の厚みと略等しくなるように調整される。
【００３５】
この切断板部１０２の、一端部１０２ａに対向した他端部１０２ｂは、トイレットペーパーＴＰに当接する開状態で、トイレットペーパーＴＰを切断する切断端を構成している。本実施の形態においては、この他端部（切断端）１０２ｂは、一端部１０２ａに対して傾斜した状態とされ、切断が容易となるようにされている。この他端部１０２ｂは、先端を尖らせた多数の突起が並べられた状態である鋸歯状とされ、トイレットペーパーＴＰの切断が容易となるようにされている。
【００３６】
図４は、他端部１０２ｂの一部を拡大して示している。この図４からも明らかなように、鋸歯の谷部１０５は、例えばパラボラ波状に、なだらかとなるように形成される。これにより、トイレットペーパーＴＰを切断した際に、当該トイレットペーパーＴＰが鋸歯の谷部１０５に引っかかった状態となり、切断板部１０２を図３Ａの開状態から図３Ｂの閉状態に回動させるとき、トイレットペーパーＴＰがこの切断板部１０２の他端部１０２ｂについていくこと、を防止できる。
【００３７】
この切断板部１０２は、トイレットペーパーＴＰに当接する開状態（図３Ａ参照）で、他端部（切断端）１０２ｂがトイレットペーパーＴＰのロール外周面から離間するような形状とされる。そのため、本実施の形態においては、切断板部１０２は、固定板部１０１に当接する閉状態（図３Ｂ参照）で、この固定板部１０１の形状に沿うような形状とされている。
【００３８】
また、本実施の形態においては、上述したように切断板部１０２の他端部（切断端）１０２ｂがその一端部１０２ａに対して傾斜した状態とされているが、少なくとも切断板部１０２の幅の広い方の部分におけるトイレットペーパーＴＰの長手方向Ｘの長さｄ２は、固定板部１０１におけるトイレットペーパーＴＰの長手方向Ｘの長さｄ１より長くされている。これにより、図３Ｂに示すように、切断板部１０２を固定板部１０１に当接した閉状態では、切断板部１０２の他端部（切断端）１０２ｂ側の少なくとも一部が固定板部１０１より飛び出した状態となる。例えば、固定板部１０１および切断板部１０２のトイレットペーパーＴＰの短手方向の長さＷが１２０ｍｍであるとき、ｄ１＝２０ｍｍ、ｄ２＝２５ｍｍとされる。
【００３９】
図５は、トイレットペーパーＴＰを回転可能に軸支するホルダー本体２０１と、このホルダー本体２０１に付設され、トイレットペーパーＴＰの上方を覆うカバー板２０２とを有するトイレットペーパーホルダー２００（図１２参照）におけるカバー板２０２の先端部に、上述の切断補助具１００を固定した状態を示している。この場合、カバー板２０２の先端部が固定板部１０１と延長片１０１ｄとの間に挿入される（図３Ａ，Ｂ参照）と共に、切断補助具１００の固定板部１０１とカバー板２０２との間に接着部材、例えば両面接着テープが配置される。
【００４０】
なおこの場合、両面接着テープをカバー板２０２の先端部だけでなく、カバー板２０２のその他の部分にも配設し、それを利用してカバー板２０２上に、図示のように、広告紙ＡＤＰ等を貼付することも考えられる。
【００４１】
このように切断補助具１００が固定されたトイレットペーパーホルダー２００においては、トイレットペーパーＴＰを使用するとき、ユーザは、切断板部１０２を固定板部１０１に当接した閉状態で、あるいは切断板部１０２をトイレットペーパーＴＰに当接した開状態でトイレットペーパーＴＰを必要量だけ矢印方向に引き出し（図５は、開状態で引き出している状態を示している）、その後に、図６Ａに示すように、切断板部１０２をトイレットペーパーＴＰに当接した開状態で、引き出されたトイレットペーパーＴＰを上方向または斜め上方向に引っ張り、切断板部１０２の他端部（切断端）１０２ｂで当該引き出されたトイレットペーパーＴＰを切断する。
【００４２】
切断板部１０２をトイレットペーパーＴＰに当接した開状態では、切断後のトイレットペーパーＴＰの先端部ＴＰａが当該切断板部１０２の下側に位置する。しかし、この切断板部１０２を固定板部１０１に当接した閉状態とすることで、図６Ｂに示すように、切断後のトイレットペーパーＴＰの先端部ＴＰａが露出した状態とできる。そのため、次にトイレットペーパーＴＰを使用するユーザは、上述したように切断板部１０２を固定板部１０１に当接した閉状態とすることでトイレットペーパーＴＰの先端部ＴＰａを露出させ、当該先端部ＴＰａをつまんでトイレットペーパーＴＰの引き出しを行うことができる。
【００４３】
このように、本実施の形態においては、切断板部１０２を固定板部１０１に当接した閉状態とすることで、切断後のトイレットペーパーＴＰの先端部ＴＰａを露出させることができ、ユーザはこの先端部ＴＰａをつまんでトイレットペーパーＴＰの引き出しを容易に行うことができる。
【００４４】
また、本実施の形態においては、切断板部１０２を、固定板部１０１に当接した閉状態（図３Ｂ、図６Ｂ参照）あるいはトイレットペーパーＴＰに当接した開状態（図３Ａ、図６Ａ参照）に安定して保持でき、これらの状態では切断板部１０２がトイレットペーパーＴＰのロール半径方向に飛び出しておらず、ユーザの衣服等を引っかけたりするおそれはなく、切断板部１０２がユーザの邪魔となることはない。
【００４５】
また、本実施の形態においては、切断板部１０２の少なくとも一部におけるトイレットペーパーＴＰの長手方向Ｘの長さｄ２は、固定板部１０１における当該長手方向Ｘの長さｄ１より長くされる。これにより、切断板部１０２を固定板部１０１に当接した閉状態では、当該切断板部１０２の他端部（切断端）１０２ｂ側の少なくとも一部が固定板部１０１より飛び出した状態となる（図３Ｂ、図６Ｂ参照）。そのため、切断板部１０２を閉状態から開状態とする際に、ユーザは、当該飛び出した切断板部１０２の他端部１０２ｂに指を引っかけて、当該切断板部１０２を容易に回動させることができる。
【００４６】
また、本実施の形態においては、切断板部１０２は、トイレットペーパーＴＰに当接する開状態で、その他端部（切断端）１０２ｂがトイレットペーパーＴＰのロール外周面から離間するような形状とされる（図３Ａ、図６Ａ参照）。これにより、切断板部１０２の他端部１０２ｂで切断された後のトイレットペーパーＴＰの先端部ＴＰａは、トイレットペーパーＴＰのロール外周面から離間した状態に曲げられる（図６Ｂ参照）。そのため、ユーザが次にトイレットペーパーＴＰを使用する際に、切断板部１０２を閉状態としてトイレットペーパーＴＰの先端部ＴＰａをつまんでトイレットペーパーＴＰを引き出すとき、その先端部ＴＰａをつまみやすくなる。
【００４７】
なお、上述実施の形態においては、切断板部１０２がトイレットペーパーＴＰに当接する開状態で、その他端部（切断端）１０２ｂがトイレットペーパーＴＰのロール外周面から離間させるために、切断板部１０２は、固定板部１０１に当接する閉状態で、この固定板部１０１の形状に沿うような形状とされている。しかし、切断板部１０２の形状はこれに限定されるものではなく、要は、切断板部１０２がトイレットペーパーＴＰに当接する開状態で、その他端部（切断端）１０２ｂがトイレットペーパーＴＰのロール外周面から離間するような形状であればよい。
【００４８】
次に、この発明の第２の実施の形態について説明する。図７〜図９は、第２の実施の形態としてのトイレットペーパーの切断補助具１１０の構成を示している。図７は、切断補助具１１０の正面図（非突出状態）である。図８は切断補助具１１０の正面図（突出状態）である。図９Ａは切断補助具１１０の側面図（突出状態）である。図９Ｂは切断補助具１１０の側面図（非突出状態）である。この第２の実施の形態においては、突出状態が第１の移動状態である。
【００４９】
この切断補助具１１０は、例えば、上述した図１２に示すような、ロール形ペーパーとしてのトイレットペーパーＴＰを回転可能に軸支するホルダー本体２０１と、このホルダー本体２０１に付設され、トイレットペーパーＴＰの上方を覆うカバー板２０２とを有するトイレットペーパーホルダー２００における、カバー板２０２の先端部に固定されて使用される。
【００５０】
この切断補助具１１０は、カバー板２０２の先端部に固定するための固定板部１１１と、トイレットペーパーＴＰを切断するための切断板部１１２とを備えている。これら固定板部１１１および切断板部１１２は、例えば、ステンレス等の金属あるいは合成樹脂等を材料として形成される。
【００５１】
固定板部１１１は、カバー板２０２の先端部の形状に合わせた形状とされている。この場合、カバー板２０２の先端部の形状がトイレットペーパーＴＰのロール外周に沿った形状を有している場合には、この固定板部１１１もトイレットペーパーＴＰのロール外周に沿った形状を有するものとされる。
【００５２】
切断板部１１２は、固定板部１０１に、摺動自在に取り付けられている。固定板部１１１の両側部に、断面がほぼコ字状の案内部１１１ａ，１１１ａが形成されている。切断板部１１２は、その両側端が固定板部１０１の案内部１１１ａ，１１１ａの内部に入り込んだ状態で、トイレットペーパーＴＰの長手方向Ｘに摺動するようにされている。
【００５３】
切断板部１１２の一端部１１２ａには、この切断板部１１２が固定板部１１１の案内部１１１ａ，１１１ａから抜け落ちることを防止するために、ほぼ直角に折り曲げられた折り曲げ部１１２ｃが形成されている。この折り曲げ部１１２ｃは、図８に示すように、切断板部１１２の一端部１１２ａが固定板部１１１上にある突出状態で、固定板部１１１の案内部１１１ａ，１１１ａの端部に当接される。
【００５４】
切断板部１１２の、一端部１１２ａに対向した他端部１１２ｂは、トイレットペーパーＴＰに当接する突出状態で、トイレットペーパーＴＰを切断する切断端を構成している。本実施の形態においては、この他端部（切断端）１１２ｂは、一端部１１２ａに対して傾斜した状態とされ、切断が容易となるようにされている。この他端部１１２ｂは、先端を尖らせた多数の突起が並べられた状態である鋸歯状とされ、トイレットペーパーＴＰの切断が容易となるようにされている（図４参照）。
【００５５】
また、切断板部１１２の他端部１１２ｂ側に係止用の円形の孔１１２ｄが穿設されている。一方、図７に示すように、切断板部１１２の他端部１１２ｂが固定板部１１１上にある非突出状態で、上述した切断板部１１２の孔１１２ｄにその頂部分が入り込む山状の凸部１１１ｂが、固定板部１１１に一体的に設けられている。これにより、非突出状態で、切断板部１１２の孔１１２ｄに固定板部１１１の凸部１１１ｂの頂部分が入り込むので、切断板部１１２は非突出状態で安定して保持される。なお、このように切断板部１１２の孔１１２ｄに固定板部１１１の凸部１１１ｂの頂部分が入り込んだ状態は、ユーザが切断板部１１２を押し下げることで、案内部１１１ａ，１１１ａのバネ力に抗して解除される。
【００５６】
また、切断板部１１２は、トイレットペーパーＴＰに当接する、その一端部１１２ａが固定板部１１１上にある突出状態（図８、図９Ａ参照）で、他端部（切断端）１１２ｂがトイレットペーパーＴＰのロール外周面から離間するように、当該他端部１１２ｂが、他の部分とは反対側に曲げられている。
【００５７】
図１０は、トイレットペーパーＴＰを回転可能に軸支するホルダー本体２０１と、このホルダー本体２０１に付設され、トイレットペーパーＴＰの上方を覆うカバー板２０２とを有するトイレットペーパーホルダー２００（図１２参照）におけるカバー板２０２の先端部に、上述の切断補助具１１０を固定した状態を示している。この場合、切断補助具１１０の固定板部１１１とカバー板２０２との間に接着部材、例えば両面接着テープが配置される。なおこの場合、両面接着テープをカバー板２０２の先端部だけでなく、カバー板２０２のその他の部分にも配設し、それを利用してカバー板２０２上に、図示のように、広告紙ＡＤＰ等を貼付することも考えられる。
【００５８】
このように切断補助具１１０が固定されたトイレットペーパーホルダー２００においては、トイレットペーパーＴＰを使用するとき、ユーザは、切断板部１１２の他端部１１２ｂが固定板部１０１上にある非突出状態で、あるいは切断板部１１２がトイレットペーパーＴＰに当接する、切断板部１１２の一端部１１２ａが固定板部１１１上にある突出状態でトイレットペーパーＴＰを必要量だけ矢印方向に引き出し（図１０は、突出状態で引き出している状態を示している）、その後に、図１１Ａに示すように、切断板部１１２の一端部１１２ａが固定板部１１１上にある突出状態で、引き出されたトイレットペーパーＴＰを上方向または斜め上方向に引っ張り、切断板部１１２の他端部（切断端）１１２ｂで当該引き出されたトイレットペーパーＴＰを切断する。
【００５９】
この突出状態では、切断後のトイレットペーパーＴＰの先端部ＴＰａが当該切断板部１１２の下側に位置する。しかし、この切断板部１１２の他端部１１２ｂが固定板部１１１上にある非突出状態とすることで、図１１Ｂに示すように、切断後のトイレットペーパーＴＰの先端部ＴＰａが露出した状態とできる。そのため、次にトイレットペーパーＴＰを使用するユーザは、上述したように突出状態から非突出状態に切断板部１１２を摺動させることで、トイレットペーパーＴＰの先端部ＴＰａを露出させ、当該先端部ＴＰａをつまんでトイレットペーパーＴＰの引き出しを行うことができる。
【００６０】
このように、本実施の形態においては、切断板部１１２の他端部１１２ｂが固定板部１１１上にある非突出状態とすることで、切断後のトイレットペーパーＴＰの先端部ＴＰａを露出させることができ、ユーザはこの先端部ＴＰａをつまんでトイレットペーパーＴＰの引き出しを容易に行うことができる。
【００６１】
また、本実施の形態においては、切断板部１１２を、その他端部１１２ｂが固定板部１１１上にある非突出状態（図９Ｂ、図１１Ｂ参照）、あるいはその一端部１１２ａが固定板部１１１上にある突出状態（図９Ａ、図１１Ａ参照）とすることができ、これらの状態では切断板部１１２がトイレットペーパーＴＰのロール半径方向に飛び出しておらず、ユーザの衣服等を引っかけたりするおそれはなく、切断板部１１２がユーザの邪魔となることはない。
【００６２】
また、本実施の形態においては、切断板部１１２は、トイレットペーパーＴＰに当接する突出状態で、その他端部（切断端）１１２ｂがトイレットペーパーＴＰのロール外周面から離間するような形状とされる（図９Ａ、図１１Ａ参照）。これにより、切断板部１１２の他端部１１２ｂで切断された後のトイレットペーパーＴＰの先端部ＴＰａは、トイレットペーパーＴＰのロール外周面から離間した状態に曲げられる（図１１Ｂ参照）。そのため、ユーザが次にトイレットペーパーＴＰを使用する際に、切断板部１１２を非突出状態としてトイレットペーパーＴＰの先端部ＴＰａをつまんでトイレットペーパーＴＰを引き出すとき、その先端部ＴＰａをつまみやすくなる。
【００６３】
なお、上述実施の形態においては、切断板部１０２，１１２は、その他端部（切断端）１０２ｂ，１１２ｂが、一端部１０２ａ，１１２ａに対して傾斜した状態とされているが、この他端部１０２ｂ，１１２ｂの形状はこれに限定されるものではない。例えば、他端部１０２ｂ，１１２ｂは一端部１０２ａ，１１２ａと平行となる形状であってもよい。また例えば、他端部１０２ｂ，１１２ｂは一部が飛び出した形状であってもよい。また、上述実施の形態においては、切断板部１０２，１１２の他端部（切断端）１０２ｂ，１１２ｂは鋸歯状とされているが、必ずしも鋸歯状とする必要はない。ただし、鋸歯状とすることで、トイレットペーパーＴＰを切断し易くなる。例えば、切断板部１０２，１１２の他端部（切断端）の形状として、上述した特許文献１の図４〜図１４に示す形状のいずれかを採用することもできる。
【００６４】
また、上述実施の形態においては、トイレットペーパーホルダー２００のカバー板２０２の先端部に、切断補助具１００，１１０を固定して使用するものであったが、切断補助具１００，１１０の固定板部１０１，１１１とカバー板２０２が一体となった構成も考えられる。この場合には、トイレットペーパーホルダー２００のカバー板２０２の先端部に、切断板部１０２，１１２が移動自在（開閉自在、摺動自在）に取り付けられる構造となる。
【００６５】
また、上述実施の形態においては、この発明をロール形のトイレットペーパーＴＰを切断する切断補助具１００，１１０に適用したものであるが、この発明はその他のロール形ペーパー、例えばロール形のキッチンペーパーを切断する切断補助具にも同様に適用できる。
【産業上の利用可能性】
【００６６】
この発明は、切断板部が邪魔になるということがなく、ペーパーの引き出しを容易に行い得るロール形ペーパーの切断補助具に係るものであり、トイレットペーパー、キッチンペーパー等のロール形ペーパーのペーパーホルダーに固定して利用できる。
【図面の簡単な説明】
【００６７】
【図１】第１の実施の形態としてのトイレットペーパーの切断補助具の正面図である。
【図２】第１の実施の形態としてのトイレットペーパーの切断補助具の背面図である。
【図３】第１の実施の形態としてのトイレットペーパーの切断補助具の側面図である。
【図４】切断板部の鋸歯状の他端部（切断端）の一部を拡大して示す図である。
【図５】切断補助具をトイレットペーパーホルダーのカバー板の先端部に固定した状態を示す図である。
【図６】切断補助具の使用状態を示す図である。
【図７】第２の実施の形態としてのトイレットペーパーの切断補助具の正面図（非突出状態）である。
【図８】第２の実施の形態としてのトイレットペーパーの切断補助具の正面図（突出状態）である。
【図９】第２の実施の形態としてのトイレットペーパーの切断補助具の側面図である。
【図１０】切断補助具をトイレットペーパーホルダーのカバー板の先端部に固定した状態を示す図である。
【図１１】切断補助具の使用状態を示す図である。
【図１２】従来のトイレットペーパーホルダーの一例を示す斜視図である。
【図１３】従来のトイレットペーパーホルダーの他の例を示す斜視図である。
【図１４】従来のトイレットペーパーの切断補助具を示す斜視図である。
【図１５】トイレットペーパーホルダーに従来の切断補助具を固定した状態を示す図である。
【符号の説明】
【００６８】
１００・・・トイレットペーパーの切断補助具、１０１・・・固定板部、１０１ａ・・・一端部、１０１ｃ・・・軸受け部、１０１ｄ・・・延長片、１０２・・・切断板部、１０２ａ・・・一端部、１０２ｂ・・・他端部（切断端）、１０２ｃ・・・軸受け部、１０３・・・枢軸、１０５・・・谷部、１１０・・・トイレットペーパーの切断補助具、１１１・・・固定板部、１１１ａ・・・案内部、１１１ｂ・・・凸部、１１２・・・切断板部、１１２ａ・・・一端部、１１２ｂ・・・他端部、１１２ｃ・・・折り曲げ部、１１２ｄ・・・孔、２００・・・トイレットペーパーホルダー、２０１・・・ホルダー本体、２０２・・・カバー板、ＴＰ・・・トイレットペーパー、ＡＤＰ・・・広告紙
【図１】
2006034596.tif 000003
【図２】
2006034596.tif 000004
【図３】
2006034596.tif 000005
【図４】
2006034596.tif 000006
【図５】
2006034596.tif 000007
【図６】
2006034596.tif 000008
【図７】
2006034596.tif 000009
【図８】
2006034596.tif 000010
【図９】
2006034596.tif 000011
【図１０】
2006034596.tif 000012
【図１１】
2006034596.tif 000013
【図１２】
2006034596.tif 000014
【図１３】
2006034596.tif 000015
【図１４】
2006034596.tif 000016
【図１５】
2006034596.tif 000017